(57)【要約】【課題】中立位置からバレルが回動されている場合であれ、吹出口から吹き出される空調用空気の指向性を的確に向上させることができる。【解決手段】空調用レジスタは下流側リテーナ２１と下流側リテーナ２１の内部にて回動可能に設けられて空調用空気の吹出し方向を可変とするバレル４とを備える。バレル４は、バレル４の第１外周面４５が下流側リテーナ２１の第１内周面２６Ｒ，２６Ｌに沿うように、且つ下流側リテーナ２１の第２内周面に対して直交する回動軸４２を中心に回動可能に設けられる。中立位置からのバレル４の回動に連動して、下流側リテーナ２１の一対の第１内周面２６Ｌ，２６Ｒにおいて当該バレル４の回動に伴いバレル４の空気上流側の開口部が離間する面２６Ｒとバレル４との間に位置するように変位して、バレル４の空気上流側の開口部への空調用空気の流入をガイドするガイドフィン７Ｒを備える。【選択図】図６
2011201407.tif 000002
【特許請求の範囲】
【請求項１】
空調用空気の導管としての筒状のリテーナと、前記リテーナの内部にて回動可能に設けられて空調用空気の吹出し方向を可変とするバレルとを備え、前記バレルの空気下流側の開口部を空調用空気の吹き出る内側吹出口とするとともに、前記リテーナの空気下流側の開口部において同リテーナの内周面と同内周面に対向する前記バレルの外周面とによって形成される開口部を空調用空気の吹き出る外側吹出口とする空調用レジスタにおいて、
中立位置からの前記バレルの回動に連動して、前記リテーナの内周面において当該バレルの回動に伴い同バレルの空気上流側の開口部が離間する部位と前記バレルとの間に位置するように変位して、前記バレルの空気上流側の開口部への空調用空気の流入をガイドするガイド機構を備える
ことを特徴とする空調用レジスタ。
【請求項２】
請求項１に記載の空調用レジスタにおいて、
前記ガイド機構は、前記バレルが中立位置にあるときには前記リテーナの軸線方向に沿うように位置する
ことを特徴とする空調用レジスタ。
【請求項３】
請求項１又は請求項２に記載の空調用レジスタにおいて、
前記リテーナ及び前記バレルの双方は断面略長方形の筒状をなし、
前記リテーナの内周面において略長方形の長辺を含む一対の内周面を第１内周面とするとともに短辺を含む一対の内周面を第２内周面とし、前記バレルの外周面において略長方形の長辺を含む一対の外周面を第１外周面とするとき、
前記バレルは、同バレルの第１外周面が同リテーナの第１内周面に沿うように、且つ前記リテーナの前記第２内周面に対して直交する軸を中心に回動可能に設けられるものであって、
前記ガイド機構は、中立位置からの前記バレルの回動に連動して、前記リテーナの一対の第１内周面において当該バレルの回動に伴い同バレルの空気上流側の開口部が離間する面と前記バレルとの間に位置するように変位する
ことを特徴とする空調用レジスタ。
【請求項４】
請求項３に記載の空調用レジスタにおいて、
前記ガイド機構は、前記バレルの空気上流側の開口部よりも空気上流側に位置する板状のガイド板と、前記リテーナの前記第２内周面に対して直交する軸であって前記ガイド板を回動可能に支持する回動軸と、前記バレルの回動に連動して前記ガイド板が回動するように作動させる作動機構とを備え、
前記作動機構は前記バレルの回動に連動して前記ガイド板を、前記リテーナの一対の第１内周面において当該バレルの回動に伴い同バレルの空気上流側の開口部が離間する面と前記バレルとの間に位置するように回動させる
ことを特徴とする空調用レジスタ。
【請求項５】
請求項４に記載の空調用レジスタにおいて、
前記ガイド板は前記リテーナの内部において前記バレルの略長方形の長辺全体にわたって延びる
ことを特徴とする空調用レジスタ。
【請求項６】
請求項４又は請求項５に記載の空調用レジスタにおいて、
前記回動軸は前記ガイド板の一端に設けられるとともに前記リテーナの第１内周面近傍に設けられる
ことを特徴とする空調用レジスタ。
【請求項７】
請求項６に記載の空調用レジスタにおいて、
前記作動機構は、前記バレルが中立位置にあるときには前記ガイド板の全体を前記リテーナの第１内周面に当接させる
ことを特徴とする空調用レジスタ。
【請求項８】
請求項６又は請求項７に記載の空調用レジスタにおいて、
前記ガイド板及び前記回動軸は前記リテーナの一対の第１内周面に対応してそれぞれ設けられるものであり、
前記作動機構は、前記バレルの回動に連動して、前記一対のガイド板において対応する一方のガイド板を回動させる一方、他方のガイド板についてはその全体を当該リテーナの第１内周面に当接させた状態に維持する
ことを特徴とする空調用レジスタ。
【請求項９】
請求項８に記載の空調用レジスタにおいて、
前記作動機構は、同ガイド板と一体且つ前記回動軸の軸線方向に平行に形成される作動軸と、前記バレルの略長方形の短辺を含む部位に形成されて前記作動軸が挿通される作動孔とを含み、同作動孔は、前記バレルの回動中心とされる軸を中心とした円弧状をなす円弧部と、同円弧部の一端に接続されるとともに前記バレルが中立位置にある状態において前記一対のガイド板において対応する一方のガイド板の回動軸に向けて延びる第１部と、同円弧部の他端に接続されるとともに前記バレルが中立位置にある状態において他方のガイド板の回動軸に向けて延びる第２部とを有する
ことを特徴とする空調用レジスタ。
【発明の詳細な説明】
【技術分野】
【０００１】
本発明は、空調用空気の導管としてのリテーナと、リテーナの内部にて回動可能に設けられて空調用空気の吹出し方向を可変とするバレルとを備える空調用レジスタに関する。
【背景技術】
【０００２】
この種の空調用レジスタとしては、例えば特許文献１に記載のものがある。また近年、車両の運転席と助手席との間に、インストルメントパネルの一部を構成するセンタークラスタを設け、センタークラスの上部に、ナビゲーションシステムのためのディスプレイ装置を配置する構成が一般化している。こうした構成にあっては、センタコンソールに空調用レジスタを配設しようとすると、ディスプレイ装置の存在によりその配設スペースが制限されることとなる。
【０００３】
そこで、例えば図９に示すように、空調用レジスタとして、車幅方向に短く、且つ鉛直方向に長くした、いわゆる長尺形状を有するものを採用するとともに、こうした空調用レジスタを車幅方向においてディスプレイ装置の両側に設ける構成が開発されるに至っている。
【０００４】
図９に示すように、空調用レジスタは、リテーナ１０２、及びバレル１０４を備えている。リテーナ１０２は、空調用空気の導管であり、断面略長方形の筒状をなしている。バレル１０４は、リテーナ１０２の内部において回動可能に設けられるとともに、断面略長方形の筒状をなしている。以下、リテーナ１０２の内周面において略長方形の長辺を含む一対の内周面を第１内周面１２６とするとともに短辺を含む一対の内周面を第２内周面１２４とし、バレル１０４の外周面において略長方形の長辺を含む一対の外周面を第１外周面１４５とする。
【０００５】
バレル１０４は、その第１外周面１４５がリテーナ１０２の第１内周面１２６に沿うように設けられている。また、バレル１０４は、リテーナ１０２の第２内周面１２４に対して直交する軸１４２、１４８を中心に回動可能に設けられている。
【０００６】
尚、バレル１０４の内部には、バレル１０４の略長方形の短辺に沿った複数のフィンからなるフィン群１５０が設けられている。また、空調用レジスタには、意匠性を向上させるためのカバー１０３が設けられている。
【０００７】
こうした構成を備える空調用レジスタによれば、中立位置からバレル１０４を回動させることにより、空気の吹出し方向を変更することができるようになる。具体的には、バレル１０４の空気下流側の開口部を内側吹出口Ａとするとともに、リテーナ１０２の空気下流側の開口部においてリテーナ１０２の第１内周面１２６とバレル１０４の第１外周面１４５とによって形成される開口部を外側吹出口Ｂとすると、中立位置からバレル１０４を左方或いは右方に回動させると、内側吹出口Ａが左方或いは右方に回動する。
【先行技術文献】
【特許文献】
【０００８】
【特許文献１】特開２００４―１１４７９９号公報
【発明の概要】
【発明が解決しようとする課題】
【０００９】
ところで、こうした空調用レジスタにあっては、図１０（ｂ）、（ｃ）に二点鎖線にて示すように、中立位置からバレル１０４を回動させると、内側吹出口Ａを通じて吹き出される空気はバレル１０４の軸線方向に沿って流れようとする。しかしながら、外側吹出口ＢＬ，ＢＲにおいてバレル１０４の回動により開口面積が小さくされた部分（図１０（ｂ）では右側の外側吹出口ＢＲ、図１０（ｃ）では左側の外側吹出口ＢＬ）を通じて吹き出される空気はリテーナ１０２の内周面に沿って流れようとする。しかも、上記開口面積が小さくされた部分、すなわち図１０（ｂ）の例では右側の外側吹出口ＢＲ、図１０（ｃ）の例では左側の外側吹出口ＢＬの開口面積を通じて吹き出される空気の流速は、バレル１０４が中立位置にある場合に比べて大きくなる。このため、こうした流速の大きい空気の流れによって、内側吹出口Ａを通じて吹き出される空気の流れが乱されることとなる。従って、吹出口から吹き出される空調用空気の指向性を向上させる上で、尚、改善の余地を残すものとなっている。
【００１０】
尚、こうした問題は、上述したような断面長方形のリテーナ及びバレルを有する空調用レジスタに限られるものではない。また、上述したような車室内のセンタコンソールに設けられる空調用レジスタに限られるものではない。すなわち、こうした問題は、空調用空気の導管としてのリテーナと、リテーナの内部にて回動可能に設けられて空調用空気の吹出し方向を可変とするバレルとを備えるものであれば、概ね共通して生じ得るものである。
【００１１】
本発明は、こうした実情に鑑みてなされたものであり、その目的は、中立位置からバレルが回動されている場合であれ、吹出口から吹き出される空調用空気の指向性を的確に向上させることのできる空調用レジスタを提供することにある。
【課題を解決するための手段】
【００１２】
以下、上記課題を解決するための手段及びその作用効果について記載する。
（１）請求項１に記載の発明は、空調用空気の導管としての筒状のリテーナと、前記リテーナの内部にて回動可能に設けられて空調用空気の吹出し方向を可変とするバレルとを備え、前記バレルの空気下流側の開口部を空調用空気の吹き出る内側吹出口とするとともに、前記リテーナの空気下流側の開口部において同リテーナの内周面と同内周面に対向する前記バレルの外周面とによって形成される開口部を空調用空気の吹き出る外側吹出口とする空調用レジスタにおいて、中立位置からの前記バレルの回動に連動して、前記リテーナの内周面において当該バレルの回動に伴い同バレルの空気上流側の開口部が離間する部位と前記バレルとの間に位置するように変位して、前記バレルの空気上流側の開口部への空調用空気の流入をガイドするガイド機構を備えることをその要旨としている。
【００１３】
同構成によれば、中立位置からバレルが回動すると、ガイド機構が変位することにより、リテーナの内周面において当該バレルの回動に伴いバレルの空気上流側の開口部が離間する部位とバレルとの間に位置するようになる。これにより、ガイド機構を通じてバレルの空気上流側の開口部への空調用空気の流入がガイドされるようになる。このため、ガイド機構の位置する空間の空気下流側に位置する外側吹出口、すなわち外側吹出口において上記バレルの回動により開口面積が小さくされた部分を通じての空調用空気の吹出しが抑制されるようになる。これにより、内側吹出口を通じて吹き出される空調用空気の流れが外側吹出口を通じて吹き出される空調用空気によって乱されることを抑制することができるようになる。従って、中立位置からバレルが回動されている場合であれ、吹出口から吹き出される空調用空気の指向性を的確に向上させることができるようになる。
【００１４】
（２）請求項２に記載の発明は、請求項１に記載の空調用レジスタにおいて、前記ガイド機構は、前記バレルが中立位置にあるときには前記リテーナの軸線方向に沿うように位置することをその要旨としている。
【００１５】
同構成によれば、バレルが中立位置にあるときには、ガイド機構がリテーナの軸線方向に沿うように位置することから、リテーナの内部にガイド機構を設けることに起因して、リテーナの内部における空調用空気の流れが乱されることを抑制することができるようになる。
【００１６】
（３）請求項３に記載の発明は、請求項１又は請求項２に記載の空調用レジスタにおいて、前記リテーナ及び前記バレルの双方は断面略長方形の筒状をなし、前記リテーナの内周面において略長方形の長辺を含む一対の内周面を第１内周面とするとともに短辺を含む一対の内周面を第２内周面とし、前記バレルの外周面において略長方形の長辺を含む一対の外周面を第１外周面とするとき、前記バレルは、同バレルの第１外周面が同リテーナの第１内周面に沿うように、且つ前記リテーナの前記第２内周面に対して直交する軸を中心に回動可能に設けられるものであって、前記ガイド機構は、中立位置からの前記バレルの回動に連動して、前記リテーナの一対の第１内周面において当該バレルの回動に伴い同バレルの空気上流側の開口部が離間する面と前記バレルとの間に位置するように変位することをその要旨としている。
【００１７】
リテーナ及びバレルの双方が断面略長方形の筒状をなすものであって、バレルが、バレルの第１外周面がリテーナの第１内周面に沿うように、且つリテーナの第２内周面に対して直交する軸を中心に回動可能に設けられる空調用レジスタがある。こうした空調用レジスタでは、リテーナの空気下流側の開口部においてリテーナの第１内周面とバレルの第１外周面とによって形成される開口部が空調用空気の吹き出る外側吹出口となる。ここで、こうした長尺構造を有する空調用レジスタにあって、バレルの回動により外側吹出口の面積が小さくなることに起因して、当該外側吹出口を通じて吹き出される空調用空気によって内側吹出口を通じて吹き出される空調用空気の流れが乱されるといった問題が特に顕著なものとなる。この点、こうした構成を備える空調用レジスタに対して請求項１及び請求項２に記載の発明を適用すれば、中立位置からバレルが回動されている場合であれ、吹出口から吹き出される空調用空気の指向性を的確に向上させることができるようになる。
【００１８】
（４）請求項３に記載の発明は、請求項４に記載の発明によるように、前記ガイド機構は、前記バレルの空気上流側の開口部よりも空気上流側に位置する板状のガイド板と、前記リテーナの前記第２内周面に対して直交する軸であって前記ガイド板を回動可能に支持する回動軸と、前記バレルの回動に連動して前記ガイド板が回動するように作動させる作動機構とを備え、前記作動機構は前記バレルの回動に連動して前記ガイド板を、前記リテーナの一対の第１内周面において当該バレルの回動に伴い同バレルの空気上流側の開口部が離間する面と前記バレルとの間に位置するように回動させるといった態様をもって具体化することができる。
【００１９】
（５）請求項５に記載の発明は、請求項４に記載の空調用レジスタにおいて、前記ガイド板は前記リテーナの内部において前記バレルの略長方形の長辺全体にわたって延びることをその要旨としている。
【００２０】
同構成によれば、リテーナの内部においてバレルの長辺全体にわたって延びるガイド板を通じて、バレルの空気上流側の開口部への空調用空気の流入がガイドされるようになる。このため、外側吹出口において上記バレルの回動により開口面積が小さくされた部分を通じての空調用空気の吹出しが一層抑制されるようになる。従って、中立位置からバレルが回動されている場合であれ、吹出口から吹き出される空調用空気の指向性を一層的確に向上させることができるようになる。
【００２１】
（６）請求項４又は請求項５に記載の発明は、請求項６に記載の発明によるように、前記回動軸は前記ガイド板の一端に設けられるとともに前記リテーナの第１内周面近傍に設けられるといった態様をもって具体化することができる。
【００２２】
（７）請求項７に記載の発明は、請求項６に記載の空調用レジスタにおいて、前記作動機構は、前記バレルが中立位置にあるときには前記ガイド板の全体を前記リテーナの第１内周面に当接させることをその要旨としている。
【００２３】
同構成によれば、バレルが中立位置にあるときには、ガイド板の全体がリテーナの第１内周面に当接するようになるため、リテーナの内部にガイド板を設けることに起因して、リテーナの内部における空調用空気の流れが乱されることを回避することができるようになる。
【００２４】
（８）請求項８に記載の発明は、請求項６又は請求項７に記載の空調用レジスタにおいて、前記ガイド板及び前記回動軸は前記リテーナの一対の第１内周面に対応してそれぞれ設けられるものであり、前記作動機構は、前記バレルの回動に連動して、前記一対のガイド板において対応する一方のガイド板を回動させる一方、他方のガイド板についてはその全体を当該リテーナの第１内周面に当接させた状態に維持することをその要旨としている。
【００２５】
同構成によれば、中立位置からバレルが回動すると、上記対応する一方のガイド板についてはこれを、リテーナの一対の第１内周面において当該バレルの回動に伴い同バレルの空気上流側の開口部が離間する面とバレルとの間に位置するように回動する一方、上記対応しない他方のガイド板についてはその全体がリテーナの第１内周面に当接するようにする。このため、上記対応しない他方のガイド板の位置に起因して、リテーナの内部における空調用空気の流れが乱されることを回避することができるようになる。
【００２６】
（９）請求項８に記載の発明は、請求項９に記載の発明によるように、前記作動機構は、同ガイド板と一体且つ前記回動軸の軸線方向に平行に形成される作動軸と、前記バレルの略長方形の短辺を含む部位に形成されて前記作動軸が挿通される作動孔とを含み、同作動孔は、前記バレルの回動中心とされる軸を中心とした円弧状をなす円弧部と、同円弧部の一端に接続されるとともに前記バレルが中立位置にある状態において前記一対のガイド板において対応する一方のガイド板の回動軸に向けて延びる第１部と、同円弧部の他端に接続されるとともに前記バレルが中立位置にある状態において他方のガイド板の回動軸に向けて延びる第２部とを有するといった態様をもって具体化することができる。
【図面の簡単な説明】
【００２７】
【図１】本発明に係る空調用レジスタの第１実施形態について、その分解斜視構造を示す分解斜視図。
【図２】同実施形態における組み付けられた状態の空調用レジスタの斜視構造を示す斜視図。
【図３】同実施形態における組み付けられた状態の空調用レジスタの正面構造を示す正面図。
【図４】同実施形態における組み付けられた状態の空調用レジスタの平面構造を示す平面図。
【図５】同実施形態における組み付けられた状態の空調用レジスタの背面構造を示す背面図。
【図６】（ａ）図３のＤ−Ｄ断面構造を示す断面図、（ｂ）（ａ）に示す状態からバレルを右方に回動させた状態を示す断面図。
【図７】（ａ）図３のＥ−Ｅ断面構造を示す断面図、（ｂ）（ａ）に示す状態からバレルを右方に回動させた状態を示す断面図、（ｃ）（ａ）に示す状態からバレルを左方に回動させた状態を示す断面図。
【図８】本発明に係る空調用レジスタの第２実施形態について、その断面構造を示す断面図であって、（ａ）バレルが中立位置にある状態を示す断面図、（ｂ）（ａ）に示す状態からバレルを右方に回動させた状態を示す断面図。
【図９】従来の空調用レジスタの正面構造を示す正面図。
【図１０】（ａ）図９のＦ−Ｆ断面構造を示す断面図、（ｂ）（ａ）に示す状態からバレルを右方に回動させた状態を示す断面図、（ｃ）（ａ）に示す状態からバレルを左方に回動させた状態を示す断面図。
【発明を実施するための形態】
【００２８】
［第１実施形態］
以下、本発明に係る空調用レジスタを具体化した第１実施形態について図１〜図７を参照して詳細に説明する。尚、本実施形態の空調用レジスタは、車両の運転席と助手席との間にあってインストルメントパネルの一部を構成するセンタークラスタに設けられている。具体的には、センタークラスの上部には、ナビゲーションシステムのためのディスプレイ装置が設けられており、空調用レジスタは、車幅方向においてディスプレイ装置の両側に設けられている。
【００２９】
図１に、本実施形態の空調用レジスタの分解斜視構造を示す。
図１に示すように、水平方向の長さに対して鉛直方向の長さが大きい構造、いわゆる長尺構造を有する空調用レジスタは、リテーナ２、バレル４、一対のガイドフィン７、支持部材８、及びカバー３を備えている。
【００３０】
次に、これらの構成について説明する。
＜リテーナ２＞
空調用空気の導管としてのリテーナ２は、空気上流側に配置される上流側リテーナ２０と、上流側リテーナ２０の空気下流側に配置される下流側リテーナ２１とを備えている。上流側リテーナ２０及び下流側リテーナ２１は共に、断面略長方形の筒状をなしている。
【００３１】
上流側リテーナ２０の空気下流側の端部には全周にわたってフランジ２０Ａが形成されている。フランジ２０Ａにおいて略長方形の長辺に対応する部分には、４つの孔２０Ｂが形成されている。
【００３２】
下流側リテーナ２１は、略長方形の長辺を含む平板状の部位である一対の側部２５と、略長方形の短辺を含む平板状の部位である頂部２２及び底部２７とを備えている。以下、側部２５の内周面を第１内周面２６と称するとともに、頂部２２及び底部２７の内周面を第２内周面２４と称することとする。
【００３３】
側部２５の空気上流側の端部には、上流側リテーナ２０の４つの孔２０Ｂに挿嵌される突部２５Ｂが形成されている。側部２５の空気下流側の端部は、略円弧状に形成されている。具体的には、同端部は、略長方形の長辺の延びる方向、すなわち同図中の上下方向において頂部２２及び底部２７から離間するほど空気下流側に位置する。
【００３４】
頂部２２には、後に詳述する支持部材８を取り付けるための溝部２３が形成されている。
底部２７における空気下流側の端部近傍には、後に詳述するバレル４の回動軸４８を回動可能に支持するための孔２８が形成されている。また、底部２７における空気上流側の端部には、後に詳述する一対のガイドフィン７を回動可能に支持するための一対の孔２９が形成されている。尚、同図においては孔２９のうちの一方のみを図示している。
【００３５】
＜バレル４＞
バレル４は、下流側リテーナ２１の内部にて回動可能に設けられて空気の吹出し方向を可変とするものであり、断面略長方形の筒状をなすバレル本体４０と、バレル本体４０の内部に設けられるフィン群５０と、フィン群５０を連結するロッド６０とを備えている。
【００３６】
バレル本体４０は、略長方形の長辺を含む平板状の部位である一対の側部４４、略長方形の短辺を含む平板状の部位である頂部４１及び底部４７を備えている。側部４４の空気下流側の端部は、下流側リテーナ２１の側部２５における空気下流側の端部の形状に対応して略円弧状に形成されている。以下、側部４４の外周面を第１外周面４５と称することとする。
【００３７】
バレル本体４０は、第１外周面４５が下流側リテーナ２１の第１内周面２６に沿うように設けられている。
バレル本体４０の頂部４１には、同頂部４１に対して直交する軸であって、同頂部４１からこれに対向する下流側リテーナ２１の第２内周面２４に向けて延びる回動軸４２が形成されている。すなわち、バレル本体４０が下流側リテーナ２１に組み付けられた状態において、回動軸４２は下流側リテーナ２１の第２内周面２４に対して直交する。また、頂部４１において回動軸４２よりも空気上流側には、後に詳述するガイドフィン７の作動軸７２を挿通するための作動孔４３が形成されている。
【００３８】
バレル本体４０の底部４７には、同底部４７に対して直交する軸であって、同底部４７からこれに対向する下流側リテーナ２１の第２内周面２４に向けて延びる回動軸４８が設けられている。すなわち、バレル本体４０が下流側リテーナ２１に組み付けられた状態において、回動軸４８は下流側リテーナ２１の第２内周面２４に対して直交する。底部４７において回動軸４８よりも空気上流側には、後に詳述するガイドフィン７の作動軸７６を挿通するための作動孔４９が形成されている。前述したように、バレル本体４０の回動軸４８は、下流側リテーナ２１の孔２８に挿通されるようになっている。
【００３９】
バレル本体４０の側部４４には、略長方形の長辺の延びる方向に沿って等距離間隔にて６つの孔４６が形成されている。
フィン群５０は、略平板状をなす６つのフィン本体５１からなり、バレル本体４０の頂部４１及び底部４７に沿うように設けられる。フィン本体５１には、バレル本体４０の側部４４に形成された孔４６に挿通される回動軸５２、フィン本体５１の空気上流側の端部から空気上流側に向けて突出するアーム部５５、アーム部５５の先端部から延びるとともに回動軸５２の延びる方向に沿うように形成される突部５３が形成されている。また、６つのフィン本体５１のうちの１つにおいて、その空気下流側の端部には、操作ノブ５４が形成されている。
【００４０】
ロッド６０には、その延びる方向に沿って等距離間隔にて６つの孔６１が形成されており、これら孔６１にはフィン本体５１の突部５３が挿通される。
バレル本体４０の孔４６にフィン本体５１の回動軸５２が挿通されるとともに、ロッド６０の孔６１にフィン本体５１の突部５３が挿通されることにより、これらバレル本体４０、フィン群５０、及びロッド６０が組み付けられる。
【００４１】
＜ガイドフィン７＞
ガイドフィン７は、ガイド板７３、頂部７０及び底部７４を備えており、下流側リテーナ２１の内部において、バレル本体４０の空気上流側の開口部よりも空気上流側に設けられる。
【００４２】
ガイド板７３は、平板状、より詳しくはその平面が長方形状をなしており、バレル本体４０の略長方形の長辺全体にわたって延びている。
頂部７０は平板状、より詳しくは扇状をなしており、ガイド板７３の長手方向の端部（同図中において上端）においてガイド板７３に対して直交する態様にて接続されている。具体的には、頂部７０において扇の円弧に対応する部分が空気下流側に位置するように、頂部７０において扇の半径に対応する部分がガイド板７３に接続されている。頂部７０において扇の中心に対応する部分には、下流側リテーナ２１の頂部２２に向けて（同図中において上方に向けて）突出する回動軸７１が形成されている。また、頂部７０においてガイド板７３の端部から最も離間した部分には、下流側リテーナ２１の底部２７に向けて（同図中において下方に向けて）突出する作動軸７２が形成されている。
【００４３】
底部７４は、頂部７０に対応する構造を有するものであり、平板状、より詳しくは扇状をなしており、ガイド板７３の長手方向の端部（同図中において下端）においてガイド板７３に対して直交する態様にて接続されている。具体的には、底部７４において扇の円弧に対応する部分が空気下流側に位置するように、底部７４において扇の半径に対応する部分がガイド板７３に接続されている。底部７４において扇の中心に対応する部分には、下流側リテーナ２１の底部２７に向けて（同図中において下方に向けて）突出する回動軸７５が形成されている。また、底部７４においてガイド板７３の端部から最も離間した部分には、下流側リテーナ２１の頂部２２に向けて（同図中において上方に向けて）突出する作動軸７６が形成されている。
【００４４】
下流側リテーナ２１の内部にバレル４及びガイドフィン７を組み付けた状態において、ガイドフィン７は、その頂部７０が下流側リテーナ２１の頂部２２とバレル本体４０の頂部４１との間に位置するとともに、その底部７４が下流側リテーナ２１の底部２７とバレル本体４０の底部４７との間に位置する。
【００４５】
＜支持部材８＞
支持部材８は、下流側リテーナ２１の頂部２２に形成された溝部２３に取り付けられるとともに、バレル４及びガイドフィン７をそれぞれ回動可能に支持するものである。支持部材８は、下流側リテーナ２１の一対の側部２５間に延びる平板状の基部８１と、基部８１から空気下流側に向けて延びる延出部８３とを有しており、全体として略Ｔ字状をなしている。基部８１の各端部には、ガイドフィン７の回動軸７１を回動可能に支持するための孔８２がそれぞれ形成されている。延出部８３の先端部には、バレル本体４０の回動軸４２を回動可能に支持するための孔８４が形成されている。ちなみに、支持部材８は、下流側リテーナ２１の内部にバレル４及びガイドフィン７を組み付けた後に下流側リテーナ２１の外側から頂部２２の溝部２３に取り付けられる。
【００４６】
＜カバー３＞
カバー３は、断面略長方形の筒状をなすとともに、空調用レジスタの意匠面を構成する。カバー３の空気下流側の開口部３０は、下流側リテーナ２１の空気下流側の開口部よりも若干小さくされており、空調用レジスタの実質的な空気の吹出口とされる。カバー３の空気下流側の端部は、下流側リテーナ２１の側部２５における空気下流側の端部及びバレル本体４０の側部４４における空気下流側の端部の形状に対応して略円弧状に形成されている。
【００４７】
図２に、組み付けられた状態における空調用レジスタの斜視構造を示す。
図３に、組み付けられた状態における空調用レジスタの正面構造を示す。
図４に、組み付けられた状態における空調用レジスタの平面構造を示す。
【００４８】
図５に、組み付けられた状態における空調用レジスタの背面構造を示す。
図２及び図３に併せ示すように、バレル４の空気下流側の開口部が空調用空気の吹き出る内側吹出口Ａとなる。また、下流側リテーナ２１の空気下流側の開口部において下流側リテーナ２１の第１内周面２６と同内周面２６に対向するバレル本体４０の第１外周面４５とによって形成される開口部が空調用空気の吹き出る外側吹出口Ｂとなる。
【００４９】
ここで、下流側リテーナ２１の第１内周面２６に対してバレル本体４０の第１外周面４５が平行となるバレル４の位置をバレル４の中立位置とする。また、バレル本体４０の頂部４１の内周面及び底部４７の内周面に対してフィン群５０が平行となる位置をフィン群５０の中立位置とする。
【００５０】
図２〜図４に併せ示すように、バレル４が中立位置にある状態において、同図中において左方或いは右方に操作ノブ５４を操作すると、操作ノブ５４の設けられたフィン本体５１からバレル本体４０に対して力が伝達されることにより、バレル本体４０は回動軸４２、４８を中心に回動する。これにより、内側吹出口Ａは左方或いは右方に回動する。
【００５１】
一方、図２及び図５に併せ示すように、フィン群５０が中立位置にある状態において、同図中において上方或いは下方に操作ノブ５４を操作すると、操作ノブ５４の設けられたフィン本体５１からロッド６０及びその他のフィン本体５１の突部５３を介してその他のフィン本体５１に対して力が伝達されることにより、各フィン本体５１は各回動軸５２を中心に回動する。これにより、内側吹出口Ａは上方或いは下方に回動する。
【００５２】
次に、図６を参照して、バレル４及びガイドフィン７の構成について更に説明するとともに及びそれらの作動態様について説明する。
図６は、図３のＤ−Ｄ断面構造を示す断面図である。尚、図６（ａ）は、バレル４が中立位置にあるときの状態を示しており、図６（ｂ）は、バレル４が中立位置から右方に回動された状態を示している。以下、一対のガイドフィン７において、同図中左側に位置するものを左側ガイドフィン７Ｌと称するとともに、同図中右側に位置するものを右側ガイドフィン７Ｒと称することとする。また、下流側リテーナ２１の一対の第１内周面２６において、同図中左側に位置するものを符号「２６Ｌ」にて示すとともに、同図中右側に位置するものを符号「２６Ｒ」にて示す。
【００５３】
図６（ａ）、（ｂ）に併せ示すように、バレル本体４０は、その頂部４１が側部４４よりも空気上流側に向けて突出した形状を有しており、この突出した部分には各ガイドフィン７Ｌ，７Ｒの作動軸７２Ｌ，７２Ｒが共に挿通される作動孔４３が形成されている。図６（ａ）に示すように、作動孔４３は、回動軸４２を中心とした円弧状をなす円弧部４３Ｃ、円弧部４３Ｃの左端に接続されるとともにバレル４が中立位置にある状態において左側ガイドフィン７Ｌの回動軸７１Ｌに向けて延びる左部４３Ｌ、及び円弧部４３Ｃの右端に接続されるとともにバレル４が中立位置にある状態において右側ガイドフィン７Ｒの回動軸７１Ｒに向けて延びる右部４３Ｒを有している。尚、図示は割愛するが、バレル本体４０の底部４７及び底部４７に形成された作動孔４９は、頂部４１及び頂部４１に形成された作動孔４３に対応した形状を有している。
【００５４】
さて、図６（ａ）に示すように、バレル４が中立位置にあるときには、各ガイドフィン７Ｌ，７Ｒの作動軸７２Ｌ，７２Ｒは、バレル本体４０における作動孔４３の円弧部４３Ｃの両端に位置している。また、このとき、各ガイド板７３Ｌ，７３Ｒの全体は下流側リテーナ２１の第１内周面２６Ｌ，２６Ｒに当接している。
【００５５】
次に、こうした状態から、下流側リテーナ２１の第１内周面２６に当接するまでバレル４を右方に回動させると、図６（ｂ）に示すように、バレル本体４０の作動孔４３は回動軸４２を中心に反時計回りに変位する。またこのとき、バレル４の空気上流側の開口部は、下流側リテーナ２１の一対の第１内周面２６Ｌ，２６Ｒにおいて右側の第１内周面２６Ｒから離間する一方、左側の第１内周面２６Ｌに近接する。
【００５６】
このとき、左側ガイドフィン７Ｌの作動軸７２Ｌは作動孔４３に対して円弧部４３Ｃの延びる方向に沿って相対変位することで、最終的には円弧部４３Ｃの右端に位置することとなる。このため、左側ガイドフィン７Ｌはバレル４の回動に連動して回動することはなく、そのガイド板７３Ｌの全体は下流側リテーナ２１の第１内周面２６Ｌに当接した状態に維持される。
【００５７】
また、右側ガイドフィン７Ｒの作動軸７２Ｒは作動孔４３に対して右部４３Ｒの延びる方向に沿って相対変位することで、最終的には右部４３Ｒの右端に位置することとなる。このため、右側ガイドフィン７Ｒはバレル４の回動に連動して回動軸７１Ｒを中心に時計回りに回動することで、そのガイド板７３Ｒが下流側リテーナ２１の右側の第１内周面２６Ｒとバレル４の空気上流側の開口部との間に位置するようになる。
【００５８】
次に、図７を参照して、本実施形態における空調用レジスタの作用について説明する。
図７は、図３のＥ−Ｅ断面構造を示す断面図である。尚、図７（ａ）は、バレル４が中立位置にあるときの状態を示しており、図７（ｂ）は、バレル４が中立位置から右方に回動された状態を示している。また、図７（ｃ）は、バレル４が中立位置から左方に回動された状態を示している。
【００５９】
図７（ａ）に示すように、バレル４が中立位置にあるときには、バレル４の空気下流側の開口部である内側吹出口Ａと、外側吹出口ＢＬ，ＢＲとの双方を通じて、下流側リテーナ２１の軸線方向に沿って空調用空気が吹き出される。
【００６０】
次に、図７（ｂ）に示すように、中立位置からバレル４を右方に回動させると、これに伴い内側吹出口Ａは右方に指向する。また、左側の外側吹出口ＢＬはその開口面積が大きくなる一方、右側の外側吹出口ＢＲはその開口面積が小さくなる。ただし、右側の外側吹出口ＢＲの空気上流側において、下流側リテーナ２１の右側の第１内周面２６Ｒとバレル４との間に位置する右側のガイドフィン７Ｒのガイド板７３Ｒを通じて、バレル４の空気上流側の開口部Ｃへの空調用空気の流入がガイドされるようになる。このため、右側の外側吹出口ＢＲを通じての空調用空気の吹出しが抑制されるようになる。
【００６１】
次に、図７（ｃ）に示すように、中立位置からバレル４を左方に回動させると、これに伴い内側吹出口Ａは左方に指向する。また、右側の外側吹出口ＢＲはその開口面積が大きくなる一方、左側の外側吹出口ＢＬはその開口面積が小さくなる。ただし、左側の外側吹出口ＢＬの空気上流側において、下流側リテーナ２１の左側の第１内周面２６Ｌとバレル４との間に位置する左側のガイドフィン７Ｌのガイド板７３Ｌを通じて、バレル４の空気上流側の開口部への空調用空気の流入がガイドされるようになる。このため、左側の外側吹出口ＢＬを通じての空調用空気の吹出しが抑制されるようになる。
【００６２】
尚、本実施形態における下流側リテーナ２１が本発明に係るリテーナに相当する。本実施形態におけるバレル４の作動孔４３，４９及びガイドフィン７Ｌ，７１Ｒが本発明に係るガイド機構に相当する。また、本実施形態における回動軸７１Ｌ，７１Ｒが本発明に係る回動軸に相当する。また、本実施形態におけるバレル４の作動孔４３，４９及びガイドフィン７の作動軸７２，７４が本発明における作動機構に相当する。また、作動孔４３の左部４３Ｌ及び右部４３Ｒが本発明に係る第１部及び第２部に相当する。
【００６３】
以上説明した本実施形態に係る空調用レジスタによれば、以下に示す作用効果が得られるようになる。
（１）空調用レジスタは、空調用空気の導管としての筒状の下流側リテーナ２１と、下流側リテーナ２１の内部にて回動可能に設けられて空調用空気の吹出し方向を可変とするバレル４とを備えるものとした。具体的には、下流側リテーナ２１及びバレル４の双方は断面略長方形の筒状をなすものとした。また、バレル４は、バレル４の第１外周面４５が下流側リテーナ２１の第１内周面２６に沿うように、且つ下流側リテーナ２１の第２内周面２４に対して直交する回動軸４２、４８を中心に回動可能に設けられるものとした。そして、中立位置からのバレル４の回動に連動して、下流側リテーナ２１の一対の第１内周面２６において当該バレル４の回動に伴いバレル４の空気上流側の開口部が離間する面とバレル４との間に位置するように変位して、バレル４の空気上流側の開口部への空調用空気の流入をガイドするガイドフィン７を備えるものとした。具体的には、ガイドフィン７は、バレル４の空気上流側の開口部よりも空気上流側に位置する板状のガイド板７３と、下流側リテーナ２１の第２内周面２４に対して直交する軸であってガイド板７３を回動可能に支持する回動軸７１、７６と、バレル４の回動に連動してガイド板７３が回動するように作動させる作動機構とを備えるものとした。
【００６４】
これにより、中立位置からバレル４が回動すると、ガイドフィン７が変位することにより下流側リテーナ２１の内周面において当該バレル４の回動に伴いバレル４の空気上流側の開口部が離間する部位とバレル４との間に位置するようになる。これにより、ガイドフィン７を通じてバレル４の空気上流側の開口部への空調用空気の流入がガイドされるようになる。このため、ガイドフィン７の位置する空間の空気下流側に位置する外側吹出口Ｂ、すなわち外側吹出口Ｂにおいて上記バレル４の回動により開口面積が小さくされた部分を通じての空調用空気の吹出しが抑制されるようになる。これにより、内側吹出口Ａを通じて吹き出される空調用空気の流れが外側吹出口Ｂを通じて吹き出される空調用空気によって乱されることを抑制することができるようになる。従って、中立位置からバレル４が回動されている場合であれ、吹出口から吹き出される空調用空気の指向性を的確に向上させることができるようになる。
【００６５】
（２）ガイドフィン７の回動軸７１、７５は、ガイド板７３の一端に設けられるとともに下流側リテーナ２１の第１内周面２６近傍に設けられるものとした。また、作動機構は、バレル４が中立位置にあるときには、ガイド板７３の全体を下流側リテーナ２１の第１内周面２６に当接させるものとした。これにより、下流側リテーナ２１の内部にガイドフィン７、すなわちガイド板７３を設けることに起因して、下流側リテーナ２１の内部における空調用空気の流れが乱されることを回避することができるようになる。
【００６６】
（３）ガイド板７３は下流側リテーナ２１の内部においてバレル４の略長方形の長辺全体にわたって延びるものとした。これにより、下流側リテーナ２１の内部においてバレル４の長辺全体にわたって延びるガイド板７３を通じて、バレル４の空気上流側の開口部への空調用空気の流入が好適にガイドされるようになる。このため、外側吹出口Ｂにおいて上記バレル４の回動により開口面積が小さくされた部分を通じての空調用空気の吹出しが好適に抑制されるようになる。
【００６７】
（４）ガイド板７３Ｌ，７３Ｒは下流側リテーナ２１の一対の第１内周面２６Ｌ，２６Ｒに対応してそれぞれ設けられるものとした。また、作動機構は、バレル４の回動に連動して、一対のガイド板７３Ｌ，７３Ｒにおいて対応する一方のガイド板７３Ｒ（７３Ｌ）を回動させる一方、他方のガイド板７３Ｌ（７３Ｒ）についてはその全体を下流側リテーナ２１の第１内周面２６に当接させるものとした。これにより、上記他方のガイド板７３Ｌ（７３Ｒ）の位置に起因して、下流側リテーナ２１の内部における空調用空気の流れが乱されることを回避することができるようになる。
【００６８】
［第２実施形態］
以下、本発明に係る空調用レジスタを具体化した第２実施形態について図８を参照して説明する。本実施形態において、先の第１実施形態の構成と対応する構成については、「２００」を加算した符号を付すことにより重複する説明を割愛する。
【００６９】
図８は、本実施形態における空調用レジスタの断面構造を示す断面図である。尚、図８（ａ）は、バレルが中立位置にあるときの状態を示しており、図８（ｂ）は、バレルが中立位置から右方に回動された状態を示している。
【００７０】
図８（ａ）、（ｂ）に併せ示すように、長尺構造を有する空調用レジスタは、リテーナ２０２、バレル２０４、ガイドフィン２０７Ｌ，２０７Ｒ、及びカバー２０３を備えている。
【００７１】
＜リテーナ２０２＞
リテーナ２０２は、上流側リテーナ２２０及び下流側リテーナ２２１を備えている。
上流側リテーナ２２０は、一対の側部の内周面である第１内周面２２０Ｌ，２２０Ｒの距離が空気下流側に向けて徐々に大きくなるように形成されている。
【００７２】
下流側リテーナ２２１は、一対の側部の内周面の距離が空気上流側の端部、すなわち上流側リテーナ２２０に接続される端部において最大となるとともに、空気下流側に向けて急激に小さくなるように形成されている。また、下流側リテーナ２２１の一対の側部の内周面は、空気下流側の端部を含む部分において互いに平行に形成されている。
【００７３】
これらの構成によって、リテーナ２０２は、上流側リテーナ２２０と下流側リテーナ２２１とが接続される部分が同図中において左右方向に突出した形状となるため、同突出した部分の内部には略三角柱状の収容空間ＳＬ，ＳＲが形成されることとなる。
【００７４】
＜バレル２０４＞
バレル２０４を構成するバレル本体２４０は、その一対の側部２４４の内周面が互いに平行に形成されている。また、側部２４４において空気上流側の端部には作動孔２４３Ｌ，２４３Ｒが形成されている。
【００７５】
＜ガイドフィン２０７＞
図８（ｂ）に示すように、ガイドフィン２０７Ｌ（２０７Ｒ）は、ガイド板２７３Ｌ（２７３Ｒ）を有しており、ガイド板２７３Ｌ（２７３Ｒ）は上流側リテーナ２２０の第１内周面２２０Ｌ（２２０Ｒ）の形状に沿った形状を有している。具体的には、ガイド板２７３Ｌが第１内周面２２０Ｌに当接している状態において、ガイド板２７３Ｌは、空気上流側に位置する略板状の上流側部分と、その空気下流側に接続されて空気下流側ほど外側に位置する略板状の下流側部分とを有している。
【００７６】
ガイド板２７３Ｌ，２７３Ｒの上流側部分の端部には、上流側リテーナ２２０に対してガイド板２７３Ｌ，２７３Ｒを回動可能に支持するための回動軸２７１Ｌ，２７１Ｒが形成されている。
【００７７】
また、ガイド板２７３Ｌ，２７３Ｒの下流側部分の端部には、略三角形の平板状をなす頂部２７０Ｌ，２７０Ｒが接続されている。これら頂部２７０Ｌ，２７０Ｒには、バレル本体２４０の作動孔２４３Ｌ，２４３Ｒに挿通される作動軸２７２Ｌ，２７２Ｒが形成されている。
【００７８】
尚、図示は割愛するが、先の第１実施形態と同様にして、ガイド板２７３Ｌ，２７３Ｒの他端には、頂部２７０Ｌ，２７０Ｒに対応した底部が接続されるとともに、同底部には作動軸２７２Ｌ，２７２Ｒに対応した作動軸が形成されている。
【００７９】
次に、本実施形態の空調用レジスタの作動態様について説明する。
図８（ａ）に示すように、バレル４が中立位置にあるときには、各ガイドフィン２０７Ｌ，２０７Ｒは、それらのガイド板２７３Ｌ，２７３Ｒが上流側リテーナ２２０の第１内周面２２０Ｌ，２２０Ｒから離間するとともに、ガイド板２７３Ｌ，２７３Ｒの下流側部分が互いに平行となる。すなわち、ガイド板２７３Ｌ，２７３Ｒの下流側部分が上流側リテーナ２２０の軸線方向、すなわちバレル本体２４０の側部２４４に沿うように位置する。
【００８０】
こうした状態から、バレル２０４を右方に回動させると、図８（ｂ）に示すように、バレル本体２４０の作動孔２４３Ｌ，２４３Ｒは回動軸（図示略）を中心に反時計回りに変位する。またこのとき、バレル２０４の空気上流側の開口部は、上流側リテーナ２２０の一対の第１内周面２２０Ｌ，２２０Ｒにおいて右側の第１内周面２２０Ｒから離間する一方、左側の第１内周面２２０Ｌに近接する。
【００８１】
このとき、左側ガイドフィン２０７Ｌは、バレル２０４の回動に連動して、回動軸２７１Ｌを中心に同図中において時計回りに回動することで、そのガイド板２７３Ｌの全体が上流側リテーナ２２０の左側の第１内周面２２０Ｌに当接するようになる。すなわち、ガイド板２７３Ｌの下流側部分及び頂部２７０Ｌが、収容空間ＳＬに収容されることとなる。
【００８２】
また、このとき、右側ガイドフィン２０７Ｒは、バレル２０４の回動に連動して、回動軸２７１Ｒを中心に同図中において時計回りに回動することで、そのガイド板２７３Ｒが上流側リテーナ２２０の右側の第１内周面２２０Ｒとバレル２０４の空気上流側の開口部との間に位置するようになる。
【００８３】
尚、本実施形態における上流側リテーナ２２０が本発明に係るリテーナに相当する。また、本実施形態におけるバレル２０４の作動孔２４３Ｌ，２４３Ｒ及びガイドフィン２０７Ｌ，２０７Ｒの作動軸２７２Ｌ，２７２Ｒが本発明における作動機構に相当する。
【００８４】
以上説明した本実施形態に係る空調用レジスタによれば、先の第１実施形態の作用効果（１）〜（４）に準じた作用効果が得られるようになる。
尚、本発明にかかる空調用レジスタは、上記実施形態にて例示した構成に限定されるものではなく、これを適宜変更した例えば次のような形態として実施することもできる。
【００８５】
・上記各実施形態によるように、作動機構を通じて、バレル４、２０４の回動に連動して、一対のガイド板７３Ｌ，７３Ｒ，２７３Ｌ，２７３Ｒにおいて対応する一方のガイド板７３Ｌ（７３Ｒ），２７３Ｌ（２７３Ｒ）を回動させる一方、他方のガイド板７３Ｒ（７３Ｌ），２７３Ｒ（２７３Ｌ）についてはその全体を当該リテーナの第１内周面に当接させた状態に維持するようにすることが、上記他方のガイド板の位置に起因して、リテーナの内部における空調用空気の流れが乱されることを回避する上では望ましい。しかしながら、こうした問題が無視できる場合であれば、上記他方のガイド板を当該リテーナの第１内周面から離間させるようにすることもできる。
【００８６】
・上記第１実施形態では、ガイドフィン７を下流側リテーナ２１の一対の第１内周面２６に対応してそれぞれ設けるようにした。また、上記第２実施形態では、ガイドフィン２０７Ｌ，２０７Ｒを上流側リテーナ２２０の一対の第１内周面２２０Ｌ，２２０Ｒに対応してそれぞれ設けるようにした。しかしながら、本発明はこれに限られるものではなく、ガイドフィンをリテーナの一対の第１内周面の一方にのみ対応して設けるようにしてもよい。
【００８７】
・上記第１実施形態では、ガイドフィン７の回動軸７１，７５をガイド板７３の一端に設けるとともに下流側リテーナ２１の第１内周面２６近傍に設けるようにしている。また、上記第２実施形態においてもこれに準じた構成を採用している。すなわち、上記各実施形態では、フラップ式のガイドフィンを採用することとしたが、本発明はこれに限られるものではなく、他に例えば、バタフライ式のガイド機構を採用することもできる。すなわち、回動軸をガイド板の中央に設けるとともにバレルの空気上流側の開口部と、リテーナの第１内周面との中間位置に設けるようにしてもよい。
【００８８】
・上記第１実施形態によるように、ガイド板７３を下流側リテーナ２１の内部においてバレル４の略長方形の長辺全体にわたって延びるものとすることが、外側吹出口Ｂにおいて上記バレル４の回動により開口面積が小さくされた部分ＢＬ（ＢＲ）を通じての空調用空気の吹出しを一層抑制する上では望ましい。また、上記第２実施形態においても、同様の理由からガイド板２７３Ｌ，２７３Ｒを上流側リテーナ２２０の内部においてバレル２０４の略長方形の長辺全体にわたって延びるものとしている。しかしながら、本発明はこれに限られるものではなく、他に例えば、ガイド板を、下流側リテーナ２１の内部においてバレル４の略長方形の長辺の一部に対応して形成することもできる。
【００８９】
・上記第１実施形態では、作動軸７２，７６を中心にガイド板７３を回動させる作動機構を採用している。また、上記第２実施形態でもこれと同様の構成を採用している。しかしながら、本発明に係るガイド機構はこれに限られるものではなく、他に例えば、ガイド板を直線状に変位させる構成を採用することもできる。
【００９０】
・センタークラスの上部においてナビゲーションシステムのためのディスプレイ装置が設けられる構成にあって、その車幅方向の両側に空調用レジスタを配置する場合には、配置スペースが制限されることから、上記各実施形態によるように、リテーナ及びバレルとして断面略長方形をなすもの、すなわち長尺構造を有する空調用レジスタを採用することが望ましい。しかしながら、本発明に係る空調用レジスタはこれに限られるものではなく、他に例えば断面略正方形状を有するものや、断面略楕円形状、或いは断面円形状を有するものを採用することもできる。この場合であっても、中立位置からのバレルの回動に連動して、リテーナの内周面において当該バレルの回動に伴い同バレルの空気上流側の開口部が離間する部位とバレルとの間に位置するように変位して、バレルの空気上流側の開口部への空調用空気の流入をガイドするガイド機構を備えるものとすればよい。
【符号の説明】
【００９１】
２，２０２…リテーナ、２０，２２０…上流側リテーナ、２１，２２１…下流側リテーナ、２４…第２内周面、２５…側部、２５Ｂ…突部、２６，２６Ｌ，２６Ｒ，２２６Ｌ，２２６Ｒ…第１内周面、４，２０４…バレル、４２…回動軸、４３，２４３Ｌ，２４３Ｒ…作動孔、４３Ｃ…円弧部、４３Ｒ…右部、４３Ｌ…左部、４５…第１外周面、４８…回動軸、４９…作動孔、７…ガイドフィン、７１，７１Ｌ，７１Ｒ，２７１Ｌ，２７１Ｒ…回動軸、７２，７２Ｌ，７２Ｒ，２７２Ｌ，２７２Ｒ…作動軸、７３，７３Ｌ，７３Ｒ，２７３Ｌ，２７３Ｒ…ガイド板、７５…回動軸、７６…作動軸、２７０Ｌ，２７０Ｒ…第１内周面。
【図１】
2011201407.tif 000003
【図２】
2011201407.tif 000004
【図３】
2011201407.tif 000005
【図４】
2011201407.tif 000006
【図５】
2011201407.tif 000007
【図６】
2011201407.tif 000008
【図７】
2011201407.tif 000009
【図８】
2011201407.tif 000010
【図９】
2011201407.tif 000011
【図１０】
2011201407.tif 000012